(57)【特許請求の範囲】
【請求項１】
照明装置を制御する照明制御装置であって、
映像再生装置によって再生され投射される映像コンテンツの特徴量を算出する算出部と、
前記算出部によって算出された特徴量に基づく、前記照明装置の光出力の制御を行う照明制御部とを備え、
前記照明制御部は、前記算出部により算出された前記特徴量を用いて、前記照明装置の光出力の制御に用いられる値の決定を補助するための補助情報を生成し、出力する補助情報出力部を有し、
前記補助情報出力部は、前記特徴量を用いて決定された、前記照明装置の光出力の制御に用いられる値についての推奨値または推奨範囲を示す情報を含む前記補助情報を生成し、出力する
照明制御装置。
【請求項２】
前記補助情報出力部は、前記照明装置の光出力の制御に用いられる値の入力を受け付ける設定画面に用いられる前記補助情報を生成し、出力する
請求項１記載の照明制御装置。
【請求項３】
前記照明制御部は、前記補助情報を用いて前記照明制御部に入力された値である設定値を用いて、前記照明装置の光出力を制御する
請求項１または２記載の照明制御装置。
【請求項４】
前記算出部は、動画である前記映像コンテンツに含まれる複数のフレームから少なくとも１つのフレームを選択し、選択した前記少なくとも１つのフレームを用いて前記特徴量を算出する
請求項１〜３のいずれか１項に記載の照明制御装置。
【請求項５】
さらに、前記映像再生装置に、前記映像コンテンツの再生を指示する映像制御部を備える
請求項１〜４のいずれか１項に記載の照明制御装置。
【請求項６】
前記映像制御部は、前記映像コンテンツが動画である場合、前記映像コンテンツに含まれる複数のフレームのうちから選択された２以上のフレームのそれぞれの再生を指示する
請求項５記載の照明制御装置。
【請求項７】
前記算出部は、前記映像コンテンツを取得し、取得した前記映像コンテンツから前記特徴量を算出する
請求項１〜６のいずれか１項に記載の照明制御装置。
【請求項８】
さらに、前記映像再生装置と通信する通信部を備え、
前記算出部は、前記映像再生装置から送信される前記映像コンテンツを、前記通信部を介して取得する
請求項７記載の照明制御装置。
【請求項９】
請求項１〜８のいずれか１項に記載の、照明制御装置、照明装置、および、映像再生装置を備える照明システム。
【請求項１０】
照明装置を制御するためのプログラムであって、
映像再生装置によって再生される映像コンテンツの特徴量を算出する算出ステップと、
前記算出ステップにおいて算出された特徴量に基づいて前記照明装置の光出力を制御する制御ステップとをコンピュータに実行させるためのプログラムであり、
前記制御ステップでは、前記算出ステップにおいて算出された前記特徴量を用いて、前記照明装置の光出力の制御に用いられる値の決定を補助するための補助情報を生成し、出力する補助情報出力ステップを含み、
前記補助情報出力ステップでは、前記特徴量を用いて決定された、前記照明装置の光出力の制御に用いられる値についての推奨値または推奨範囲を示す情報を含む前記補助情報を生成し、出力する
プログラム。
【発明の詳細な説明】
【技術分野】
【０００１】
本発明は、照明装置を制御する照明制御装置、及び、照明制御装置と照明装置と映像再生装置とを含む照明システムに関する。
【背景技術】
【０００２】
例えば特許文献１には、浴室と、この浴室内で映像や音声を視聴できるように設置された視聴手段と、浴室照明手段と、浴室照明手段の照度を制御する照明制御手段と、から構成される視聴手段付浴室が開示されている。この視聴手段付浴室では、該視聴手段の作動と連動して該照明制御手段により該浴室照明手段の照度が制御される。これにより、浴室内で、人が映像または音声を視聴するときには、浴室内の照明が暗くされる。
【先行技術文献】
【特許文献】
【０００３】
【特許文献１】特開２００３−９７０６１号公報
【発明の概要】
【発明が解決しようとする課題】
【０００４】
近年では、例えば店舗等の室内空間において、プロジェクタ等の映像再生装置で映像（静止画または動画）を再生すること、もしくは、照明装置で明るさまたは色温度を調整することにより空間の演出が行われている。
【０００５】
また、映像の再生および照明装置の制御の両者によって照明空間を作り出す場合、映像再生装置により映し出される映像の明るさ等を、照明装置で照射される光の明るさ等と合わせなければ統一感のある照明空間を提供することができない。そのため、例えば、照明設計に詳しい専門家が、映像再生装置及び照明装置のそれぞれを調整しては調整後の照明空間を確認するという作業が繰り返し行われている。
【０００６】
しかしながら、映像再生装置及び照明装置を調整する人が、必ずしも照明設計に詳しい専門家とは限らない。また、映像再生装置と照明装置とを個別に調整すると、調整にばらつきができてしまうおそれがある。
【０００７】
本発明は、上記従来の課題を考慮し、映像再生装置で再生される映像に適した照明空間を容易に形成することができる照明制御装置等を提供する。
【課題を解決するための手段】
【０００８】
本発明の一態様に係る照明制御装置は、照明装置を制御する照明制御装置であって、映像再生装置によって再生され投射される映像コンテンツの特徴量を算出する算出部と、前記算出部によって算出された特徴量に基づく、前記照明装置の光出力の制御を行う照明制御部とを備える。
【０００９】
また、本発明の一態様に係る照明システムは、本発明のいずれかの態様に係る、照明制御装置、照明装置、および、映像再生装置を備える。
【００１０】
また、本発明の一態様に係るプログラムは、照明装置を制御するためのプログラムであって、映像再生装置によって再生される映像コンテンツの特徴量を算出する算出ステップと、前記算出ステップにおいて算出された特徴量に基づいて前記照明装置の光出力を制御する制御ステップとをコンピュータに実行させるためのプログラムである。
【発明の効果】
【００１１】
本発明に係る照明制御装置等によれば、映像再生装置で再生される映像に適した照明空間を容易に形成することができる。
【図面の簡単な説明】
【００１２】
【図１】図１は、実施の形態１に係る照明システムの基本的な構成を示す図である。
【図２】図２は、実施の形態１に係る照明制御装置の基本的な処理の流れを示す図である。
【図３】図３は、実施の形態１に係る照明システムの具体的な構成例を示す図である。
【図４】図４は、実施の形態１に係る設定画面の第１の例を示す図である。
【図５】図５は、実施の形態１に係る設定画面の第２の例を示す図である。
【図６】図６は、実施の形態１に係る設定画面の第３の例を示す図である。
【図７】図７は、実施の形態２に係る照明システムの構成を示す図である。
【図８】図８は、実施の形態２に係る第一制御装置および第二制御装置のそれぞれで表示される設定画面の例を示す図である。
【発明を実施するための形態】
【００１３】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付しており、重複する説明は省略または簡略化される場合がある。
【００１５】
（実施の形態１）
以下、実施の形態１に係る照明システムについて説明する。
【００１６】
［照明システムの基本構成および動作］
まず、図１および図２を用いて、実施の形態１に係る照明システムの基本的な構成および動作について説明する。
【００１７】
図１は、実施の形態１に係る照明システム１０の基本的な構成を示す図である。図２は、実施の形態１に係る照明制御装置１００の基本的な処理の流れを示す図である。
【００１８】
図１示すように、実施の形態１に係る照明システム１０は、照明制御装置１００と、照明装置５０と、映像再生装置２００とを備える。本実施の形態では、照明システム１０には、照明制御装置１００によって制御される照明装置５０が２つ備えられている。なお、２つの照明装置５０を区別するために、図１では、２つの照明装置５０のそれぞれに“Ａ”または“Ｂ”が付されている。このことは、後述する図３、図７および図８でも同じである。
【００１９】
照明装置５０は、器具本体５１と、器具本体５１に取り付けられるランプ５５を備える。照明システム１０が備える２つの照明装置５０は、例えば、映像再生装置２００による映像コンテンツの投射が行われる部屋の天井に配置されている。
【００２０】
また本実施の形態では、映像再生装置２００と２つの照明装置５０のそれぞれが照明制御装置１００と接続されている。
【００２１】
映像再生装置２００は、静止画または動画である映像コンテンツを再生し投射する装置である。つまり、映像再生装置２００は、部屋の壁面またはスクリーン等に映像を投射するプロジェクタとしての機能を有している。
【００２２】
本実施の形態では、映像再生装置２００は、装着された可搬型記憶媒体（例えばメモリカード）から複数の映像コンテンツそれぞれを読み出して再生することができる。なお、映像再生装置２００は、複数の映像コンテンツを格納する記憶装置を内蔵してもよく、また、通信を介して、他の装置から送信される複数の映像コンテンツを受信して再生してもよい。
【００２３】
また、映像再生装置２００と照明制御装置１００との接続の態様に特に限定はなく、例えば、ＬＡＮ（Ｌｏｃａｌ  Ａｒｅａ  Ｎｅｔｗｏｒｋ）を介して映像再生装置２００と照明制御装置１００とが通信可能であってもよい。また、例えば、映像再生装置２００と照明制御装置１００とが、１本の通信ケーブルによって一対一で通信可能なように接続されていてもよい。また、映像再生装置２００と照明制御装置１００との間の通信区間の少なくとも一部が、無線による通信区間であってもよい。さらに、映像再生装置２００と照明制御装置１００との間で、複数の通信路が形成されていてもよい。
【００２４】
照明制御装置１００は、照明装置５０を制御する装置である。本実施の形態では、２つの照明装置５０のそれぞれの光出力を制御する。具体的には、２つの照明装置５０それぞれは、制御信号線が照明制御装置１００と接続されており、ＰＷＭ（Ｐｕｌｓｅ  Ｗｉｄｔｈ  Ｍｏｄｕｌａｔｉｏｎ）信号によって調光制御または調色制御が行われる。
【００２５】
なお、照明装置５０の制御の手法に特に限定はなく、照明装置５０における調光制御または調色制御がデジタル信号によってなされてもよい。
【００２６】
本実施の形態に係る照明制御装置１００は、基本的な構成要素として、特徴量算出部１１０と照明制御部１２０とを備える。照明制御装置１００の基本的な処理の流れは以下の通りである。
【００２７】
すなわち、図２に示すように、特徴量算出部１１０は、映像再生装置２００によって再生され投射される映像コンテンツの特徴量を算出する（Ｓ１０）。照明制御部１２０は、特徴量算出部１１０によって算出された特徴量に基づく照明装置５０の光出力の制御を行う（Ｓ２０）。
【００２８】
すなわち、映像コンテンツが投射される壁面またはスクリーン等の投射領域を有する空間における照明光が、当該映像コンテンツの特徴量に基づいて、調光制御または調色制御される。これにより、再生される映像コンテンツに適した照明空間の形成が容易化される。
【００２９】
なお、「映像コンテンツの特徴量」とは、映像コンテンツである静止画または動画の明るさまたは色合い等を示す情報であり、例えば、映像コンテンツのデータ（コンテンツデータ）に示される画素値等を用いて算出される情報である。特徴量の算出手法の例については後述する。
【００３０】
また、本実施の形態では、特徴量算出部１１０は、映像コンテンツを取得して解析することで、映像コンテンツの特徴量を算出する。具体的には、特徴量算出部１１０は、有線通信または無線通信によって照明制御装置１００と接続された映像再生装置２００から送信される映像コンテンツを取得し、その特徴量を算出する。このように、特徴量算出部１１０は、特徴量を算出すべき映像コンテンツを通信を介して取得することで、例えば、映像再生装置２００が保持する映像コンテンツの特徴量の算出を速やかに実行することができる。
【００３１】
［照明システムの詳細］
次に、図３〜図６を用いて、実施の形態１に係る照明システム１０の構成および動作についてより詳細に説明する。
【００３２】
図３は、実施の形態１に係る照明システム１０の具体的な構成例を示す図である。
【００３３】
図３に示すように、照明システム１０は、照明制御装置１００と通信する情報端末３００を備えてもよい。情報端末３００は、例えば、携帯電話、スマートフォン、タブレット、またはパーソナルコンピュータ等である。情報端末３００は、照明制御装置１００との通信で得た情報に基づく画像を表示することができる表示部３１０を有している。また、照明制御装置１００と情報端末３００とは、例えば、ＢｌｕｅＴｏｏｔｈ（登録商標）またはＷｉ−Ｆｉ（登録商標）などの規格に従った無線通信によって情報のやり取りを行うことができる。
【００３４】
照明制御装置１００が備える照明制御部１２０は、補助情報出力部１２２を有している。補助情報出力部１２２は、特徴量算出部１１０により算出された特徴量を用いて、照明装置５０の光出力の制御に用いられる値の決定を補助するための補助情報を生成し、出力する。これにより、当該特徴量に基づく照明装置５０の光出力の制御がより効率よく行われる。
【００３５】
また、照明制御装置１００はさらに、映像制御部１３０を備えている。映像制御部１３０は、映像再生装置２００に映像コンテンツの再生を指示する。つまり、照明装置５０の調光制御等を行う装置である照明制御装置１００が、照明空間の形成に関与する映像再生装置２００の動作を制御する機能を有している。これにより、映像再生装置２００によって再生される映像コンテンツに適した照明空間の形成がより効率よく行われる。
【００３６】
照明制御装置１００が備える特徴量算出部１１０、照明制御部１２０、および映像制御部１３０による処理は、例えば、ＣＰＵ（Ｃｅｎｔｒａｌ  Ｐｒｏｃｅｓｓｉｎｇ  Ｕｎｉｔ）およびメモリ等を有するマイコン（マイクロコントローラ）１０１、並びに、取得した映像コンテンツ等を保持する記憶部（図示せず）によって実現される。つまり、マイコン１０１が、所定のプログラムを実行することで、特徴量算出部１１０等の機能が実現される。
【００３７】
当該所定のプログラムとしては、照明装置５０を制御するためのプログラムであって、少なくとも以下の処理をコンピュータ（マイコン１０１）に実行させるためのプログラムが例示される。当該処理は、映像再生装置２００によって再生される映像コンテンツの特徴量を算出する算出ステップと、算出ステップにおいて算出された特徴量に基づいて照明装置５０の光出力を制御する制御ステップとを含む。
【００３８】
また、特徴量算出部１１０、照明制御部１２０、および映像制御部１３０は、通信部１０５を介して、映像再生装置２００との間で通信を行うことができる。
【００３９】
このように構成された照明制御装置１００は、例えば以下のように動作する。照明制御部１２０は、通信部１０５を介して、映像再生装置２００から、映像再生装置２００が保持する複数の映像コンテンツの識別情報（映像コンテンツのタイトルまたはサムネイル画像など）を取得する。照明制御部１２０の補助情報出力部１２２は、取得した識別情報のリストであるコンテンツリストを生成し出力する。より詳細には、補助情報出力部１２２は、コンテンツリストに加え、照明装置５０の点灯条件（調光レベルなど）を設定するための選択肢または項目名などを含む補助情報を生成し出力する。補助情報出力部１２２から出力された補助情報は、情報端末３００に受信されて設定画面の生成に用いられる。
【００４０】
なお、「照明装置５０の点灯条件を設定する」、とは、例えば、照明装置５０の制御に用いられる値を、照明制御装置１００に入力すること、または、当該値を、照明制御装置１００を介して、照明装置５０に入力すること等を意味する。
【００４１】
図４は、実施の形態１に係る設定画面の第１の例を示す図である。
【００４２】
図４に示す設定画面４００は、補助情報出力部１２２が生成して出力する補助情報を用いて情報端末３００が生成し、表示部３１０に表示する画面である。つまり、補助情報出力部１２２は、照明装置５０の光出力の制御に用いられる値の入力を受け付ける設定画面４００に用いられる補助情報を生成する。これにより、例えば、点灯条件の設定の容易化が図られる。
【００４３】
具体的には、情報端末３００が実行する所定のアプリケーションプログラムが、照明制御装置１００から送信される補助情報を用いて設定画面４００を生成し、表示部３１０に表示させる。なお、補助情報出力部１２２は、補助情報を用いて設定画面４００そのものを生成し、情報端末３００に送信してもよい。また、例えば、照明制御装置１００が液晶パネル等の表示部を有する場合、当該表示部に設定画面４００が表示されてもよい。
【００４４】
設定画面４００は、照明装置５０の光出力の制御に用いられる値の入力を受け付ける画面である。使用者は、例えばタブレットである情報端末３００の表示部３１０に表示される設定画面４００を用いて、映像再生装置２００で再生する映像コンテンツの選択と、その映像コンテンツが投射されたときの各照明装置５０の点灯条件とを設定することができる。
【００４５】
例えば、設定画面４００の左側には、映像再生装置２００が再生可能な映像コンテンツを示す情報（コンテンツ選択肢）が表示される。図４では、コンテンツ選択肢として４つの映像コンテンツを示す情報（（１）〜（４））が表示されている。使用者は、（１）〜（４）それぞれに対応づけられたラジオボタン４１１のいずれかを選択することで、映像再生装置２００で再生される映像コンテンツを選択することができる。
【００４６】
なお、これら４つの映像コンテンツは、例えば静止画であり、例えば、海の中（カラー）、夕焼け（カラー）、高原（モノクロ）、星空（モノクロ）など、表示内容および色調が互いに異なる映像を示す映像コンテンツである。
【００４７】
さらに、設定画面４００の下部には、選択された映像コンテンツの解析を開始する解析開始ボタン４１２が表示されている。使用者が、解析開始ボタン４１２を押すこと（例えば、表示部３１０における当該ボタンの領域をタップすること、以下同じ）で、選択された映像コンテンツの解析が、照明制御装置１００の特徴量算出部１１０で行われる。
【００４８】
設定画面４００の右側には、照明装置５０の点灯条件を設定するための各種項目が表示される。図４では、点灯条件の設定の対象である照明装置５０を選択するプルダウンメニュー４２１、その照明装置５０の品番を選択するプルダウンメニュー４２２、調光レベルおよび調色レベルそれぞれを変更するための調光用スライダー４４０および調色用スライダー４５０、並びに、それらの設定を反映させる設定ボタン４６０が設定画面４００に表示されている。
【００４９】
このような設定画面４００を用いて行われる、再生すべき映像コンテンツの選択、および、照明装置５０の点灯条件の設定についての処理の流れを説明する。
【００５０】
使用者は、まず、設定画面４００の左側のコンテンツ選択肢の中から、映像再生装置２００に再生および投射させるべき映像コンテンツをラジオボタン４１１で選択する。次に解析開始ボタン４１２を押してコンテンツの解析を行う。図４に示す例では、解析開始ボタン４１２が押された場合、情報端末３００から、“（２）”の映像コンテンツを示す情報が、照明制御装置１００に送られる。特徴量算出部１１０は、“（２）”の映像コンテンツを、映像再生装置２００から取得して解析する。
【００５１】
特徴量算出部１１０には、コンテンツの解析のためのアルゴリズムが予め組み込まれている。特徴量算出部１１０は、例えば以下の手順で、特徴量の算出の対象、つまり、再生の対象となる映像コンテンツ（以下、「対象コンテンツ」という。）の特徴量を算出する。
【００５２】
特徴量算出部１１０は、対象コンテンツの特徴量の一例である、対象コンテンツの平均輝度を求める。例えば、平均輝度として０〜２５５のいずれかの数値が算出される。なお、対象コンテンツがカラーの画像であれば一般的に知られているＲＧＢからＹＵＶへの変換式を用いてもよい。また、特徴量算出部１１０は、対象コンテンツがモノクロ画像であれば平均明度を求める。例えば、平均明度として０〜２５５のいずれかの数値が算出される。
【００５３】
特徴量算出部１１０はさらに、映像再生装置２００から出射される光束に、“平均輝度の値／２５５”を乗算し、投射領域の面積で除算することで、映像再生装置２００が投射する対象コンテンツの平均照度を求めることができる。このようにして、特徴量算出部１１０は、対象コンテンツの特徴量の一例である、対象コンテンツの平均照度を算出する。
【００５４】
次に、照明制御装置１００の照明制御部１２０は、算出された対象コンテンツの特徴量に基づく、照明装置５０の光出力の制御を行う。例えば、対象コンテンツの平均照度と同程度の照度が得られるように、照明制御部１２０によって、照明装置５０の調光レベルが調整される。
【００５５】
例えば、使用者が、図４に示すように、照明装置Ａ（“Ａ”が付された照明装置５０（図３参照））を選択し、その品番を選択した場合を想定する。なお、照明装置Ａが照らす場所の平均照度はシミュレーションもしくは測定により求めることができ、照明装置Ａの全灯時の平均照度は、照明制御装置１００に予め保持されている。また、照明装置Ａの調光レベルと光束との関係を示す情報も、予めデータテーブルとして照明制御装置１００に保持されている。照明制御装置１００の照明制御部１２０は、これらの情報を用いて、対象コンテンツの特徴量（平均照度）と同程度の照度を得ることができる調光レベルを算出するこれにより、調光レベルの推奨値が算出される。
【００５６】
照明制御部１２０の補助情報出力部１２２は、算出された調光レベルの推奨値が設定画面４００の調光用スライダー４４０の横に三角マークで表示されるように補助情報を生成して出力する。その結果、図４に示されるように、設定画面４００に、調光レベルの推奨値を示す三角マーク４４２が表示される。
【００５７】
使用者は、調光用スライダー４４０を、例えば三角マーク４４２の位置に合わせて設定ボタン４６０を押す。これにより、調光用スライダー４４０の位置に対応する調光レベルが、照明装置Ａの光出力の制御に用いられる値として決定される。さらに、ユーザは、確認ボタン４７０を押す。その結果、映像再生装置２００は対象コンテンツを再生して投射し、照明装置Ａは設定された調光レベルで空間を照らす。
【００５８】
具体的には、確認ボタン４７０が押されることで、照明制御装置１００の映像制御部１３０から、対象コンテンツを再生する指示が映像再生装置２００に送信され、映像再生装置２００は当該指示に従って、対照コンテンツを再生し投射する。さらに、調光用スライダー４４０に示される調光レベルに対応するＰＷＭ信号が、照明制御部１２０から照明装置Ａに送信され、これにより、照明装置Ａは、当該調光レベルに対応する明るさに変更される。
【００５９】
つまり、照明制御部１２０は、補助情報を用いて照明制御部１２０に入力された値である設定値（上記説明では調光レベル）を用いて、照明装置５０（上記説明では照明装置Ａ）の光出力を制御することができる。つまり、照明制御部１２０による効率的な照明装置５０の制御が行われる。
【００６０】
以上の処理により、対象コンテンツの特徴量に応じた照明装置５０の調光制御がなされ、その照明装置５０によって照らされる照明空間が形成される。つまり、映像再生装置２００で再生される映像に適した照明空間が容易に形成される。また、使用者は、その照明空間の適否を最終的に判断することができ、その照明空間が、使用者の好みとは異なる場合、例えば調光用スライダー４４０を動かして、設定ボタン４６０および確認ボタン４７０を押すことで、点灯条件の微調整を行うことが可能である。
【００６１】
また、照明装置５０が、色温度の制御が可能な照明装置である場合、照明制御装置１００は、映像再生装置２００で再生される映像コンテンツの特徴量に応じた、照明装置５０における色温度の制御（調色制御）も可能である。例えば、使用者により、設定画面４００において、対象コンテンツとして、夕焼けの静止画である映像コンテンツが選択され、解析開始ボタン４１２が押された場合、以下の処理が行われる。
【００６２】
照明制御装置１００の特徴量算出部１１０は、夕焼けの静止画に対応する画像データの各ピクセルのＲＧＢ値を、色度図の（ｘ，ｙ）座標に変換する。この変換には、例えば一般に知られている変換式が用いられる。特徴量算出部１１０は、この変換結果の度数分布を求め、度数が最多の値を特定する。特徴量算出部１１０はさらに、特定した値から相関色温度を求める。例えば、夕焼けの画像データにおいて最も多い色に最も近い、黒体軌跡上の色温度が求められる。このようにして求められる相関色温度の値は、特徴量算出部１１０によって算出される特徴量の一例である。
【００６３】
また、図４に示すように、使用者によって照明装置Ａが選択され、その品番が選択された場合、照明制御装置１００の照明制御部１２０は、照明制御装置１００に予め保持されている当該品番に対応する光源の色温度範囲と調色信号のデータテーブルとを呼び出す。
【００６４】
照明制御部１２０の補助情報出力部１２２は、特徴量算出部１１０によって算出された相関色温度の値を示す情報が、設定画面４００に表示されるように補助情報を生成する。図４に示す例では、算出された相関色温度の値を中心とする推奨範囲を示す範囲画像４５２が設定画面４００に表示されている。なお、推奨範囲としては、例えば、算出された相関色温度の値のプラスマイナス２０％の範囲が採用される。
【００６５】
使用者は、調色用スライダー４５０を、範囲画像４５２に示される推奨範囲のいずれかの位置に合わせて設定ボタン４６０を押す。これにより、調色用スライダー４５０の位置に対応する調色レベルが、照明装置Ａの光出力の制御に用いられる値として決定される。さらに、使用者は、確認ボタン４７０を押す。その結果、映像再生装置２００は、対象コンテンツである夕焼けの静止画を投射し、照明装置Ａは設定された調色レベルで空間を照らす。
【００６６】
具体的には、確認ボタン４７０が押されることで、照明制御装置１００の映像制御部１３０から、対象コンテンツである夕焼けの静止画を再生する指示が映像再生装置２００に送信され、映像再生装置２００は当該指示に従って、夕焼けの静止画を再生し投射する。さらに、調色用スライダー４５０に示される調色レベルに対応するＰＷＭ信号が、照明装置Ａに送信され、これにより、照明装置Ａは、当該調光レベルに対応する色温度に変更される。
【００６７】
以上の処理により、対象コンテンツの特徴量に応じた照明装置５０の調光制御がなされ、その照明装置５０によって照らされる照明空間が形成される。つまり、映像再生装置２００で再生される映像に適した照明空間が容易に形成される。また、使用者は、その照明空間の適否を最終的に判断することができ、その照明空間が、使用者の好みとは異なる場合、例えば調色用スライダー４５０を動かして、設定ボタン４６０および確認ボタン４７０を押すことで、点灯条件の微調整を行うことが可能である。
【００６８】
なお、上記説明では、照明装置５０の調光のための設定と、照明装置５０の調色のための設定とがそれぞれとを個別に行われる場合を説明したが、調光と調色とが同時に設定されてもよい。例えば、照明制御装置１００の照明制御部１２０が生成して出力する補助情報を用いて、図５に示す設定画面４００ａが生成されてもよい。
【００６９】
図５は、実施の形態１に係る設定画面の第２の例を示す図である。図５に示す設定画面４００ａでは、色温度軸と、調光レベル軸とで形成される設定用平面４３０が表示されている。また、設定用平面４３０には、推奨される色温度範囲および調光レベル範囲を２次元領域で示す範囲画像４３２が示されている。
【００７０】
このような範囲画像４３２は、照明制御部１２０の特徴量算出部１１０が、ラジオボタン４１１の選択によって特定された対象コンテンツを、上述のように解析することで得た特徴量に基づいて生成されている。
【００７１】
つまり、設定用平面４３０および範囲画像４３２を含む設定画面４００ａは、上述の設定画面４００と同じく、照明制御部１２０の補助情報出力部１２２により生成された補助情報を用いて情報端末３００が生成し、表示部３１０に表示される。また、照明制御部１２０の補助情報出力部１２２が設定画面４００ａを生成し、情報端末３００に送信してもよい。
【００７２】
使用者は、例えば、設定画面４００ａの設定用平面４３０における、範囲画像４３２内のいずれかの位置をタップ等の操作によって選択し、設定ボタン４６０を押す。使用者は最後に確認ボタン４７０を押すと、映像再生装置２００は対象コンテンツを再生して投射し、照明装置Ａは、設定用平面４３０を用いて設定された調光レベルおよび調色レベルで空間を照らす。
【００７３】
具体的には、確認ボタン４７０が押されることで、照明制御装置１００の映像制御部１３０から、対象コンテンツを再生する指示が映像再生装置２００に送信され、映像再生装置２００は当該指示に従って、対照コンテンツを再生し投射する。さらに、設定用平面４３０で選択された位置に応じた調光レベルおよび調色レベルのそれぞれに対応するＰＷＭ信号が、照明装置Ａに送信される。これにより、照明装置Ａは、当該調光レベルおよび当該調色レベルに対応する明るさおよび色温度に変更される。
【００７４】
以上の処理により、対象コンテンツの特徴量に応じた照明装置５０の調光制御および調色制御がなされ、その照明装置５０によって照らされる照明空間が形成される。つまり、映像再生装置２００で再生される映像に適した照明空間が容易に形成される。また、使用者は、その照明空間の適否を最終的に判断することができ、その照明空間が、使用者の好みとは異なる場合、例えば設定用平面４３０における選択位置を変更し、設定ボタン４６０および確認ボタン４７０を押すことで、点灯条件の微調整を行うことができる。
【００７５】
以上のように、本実施の形態では、補助情報出力部１２２は、対象コンテンツの特徴量を用いて決定された、照明装置５０の光出力の制御に用いられる値についての推奨値または推奨範囲を示す情報を含む補助情報を生成し、出力する。これにより、図４および図５に示されるように、対象コンテンツに適した、調光レベルもしくは調色レベルの値、または、調光レベルもしくは調色レベルの範囲が、使用者に提示される。その結果、例えば、当該特徴量に基づく照明装置５０の光出力の制御であって、対象コンテンツに適した照明空間の形成のための制御が、より効率よく行われる。
【００７６】
なお、設定画面４００等の画面に表示される推奨値または推奨範囲は、三角マーク４４２または範囲画像４５２等の画像の位置または大きさで表すのではなく、数値によって表されてもよい。また、調光レベルまたは調色レベルの情報端末３００への入力も、スライダー等の画像を用いるのではなく、例えば、調光レベルまたは調色レベルを表す数値の入力によって行われてもよい。この場合、例えば、照明設計に詳しい使用者は、推奨値または推奨範囲を表す数値に応じて、調光レベルまたは調色レベルを、数値で情報端末３００に入力することができる。つまり、照明空間の、より緻密な調整が可能となる。
【００７７】
ここで、上記説明では、映像再生装置２００が再生し投射する映像コンテンツが静止画である場合の、照明装置５０の光出力の制御について説明した。しかし、照明制御装置１００は、映像コンテンツが動画である場合も、当該動画の特徴量に基づいた照明装置５０の光出力の制御を行うことができる。
【００７８】
図６は、実施の形態１に係る設定画面の第３の例を示す図である。図６に示す設定画面４００ｂでは、左側に、複数の映像コンテンツの中から１つを選択するプルダウンメニュー４１３と、サンプル抽出ボタン４１４と、複数のサンプルのそれぞれに対応付けられたラジオボタン４１６と、各サンプルの動画内での時間位置を示す時間位置情報４１５と、解析開始ボタン４１２とが表示されている。
【００７９】
使用者は、まず、映像再生装置２００に再生および投射させるべき映像コンテンツを、プルダウンメニュー４１３を用いて選択し、サンプル抽出ボタン４１４を押す。照明制御装置１００では、例えば特徴量算出部１１０が、選択された映像コンテンツ（対象コンテンツ）に含まれる複数のフレームの中から、照明空間の調整用の１以上のフレームをサンプルとして抽出する。
【００８０】
特徴量算出部１１０は、例えば、フレーム毎に平均輝度を算出し、その平均値、最大値、最小値、中央値に対応するフレームを、複数のフレームの中から選択する。さらに、選択した各フレームに関する情報を、照明制御部１２０の補助情報出力部１２２に通知する。補助情報出力部１２２は、各フレームに関する情報を用いて、各フレームに対応付けられたラジオボタン４１６および時間位置情報４１５等が、設定画面４００ｂに表示されるように補助情報を生成する。
【００８１】
使用者は、設定画面４００ｂに表示されたラジオボタン４１１のいずれかを選択することで、照明空間の調整に用いるサンプルを選択する。また、使用者は、設定画面４００ｂに表示された解析開始ボタン４１２を押す。これにより、照明制御装置１００の特徴量算出部１１０によって、対象コンテンツの解析が行われ、これより、対象コンテンツの特徴量が算出される。
【００８２】
具体的には、特徴量算出部１１０は、動画である対象コンテンツに含まれる複数のフレームから少なくとも１つのフレームを選択し、選択した当該少なくとも１つのフレームを用いて、対象コンテンツの特徴量を算出する。このように、選択されたフレームを用いて対象コンテンツの特徴量を算出することで、例えば、特徴量の算出を効率よく行うことができる。
【００８３】
また、特徴量の算出の手法は、上述の通りであり、選択した少なくとも１つのフレームに対応する平均照度、および、相関色温度の値の少なくとも一方が特徴量として算出される。
【００８４】
なお、特徴量算出部１１０が特徴量の算出に用いる１以上のフレームの選択の手法に特に限定はない。例えば、対象コンテンツにおける時間位置が最初のフレーム、中央のフレーム、および最後のフレームが、特徴量の算出に用いられるフレームとして選択されてもよい。このように、簡易な手法でフレームを選択することで、例えば、動画である対象コンテンツの特徴量の算出に要する処理負荷を軽減することができる。
【００８５】
また、上記のサンプルの抽出処理において算出された、フレーム毎の平均輝度の平均値を算出し、算出された平均値を用いて、対象コンテンツの特徴量である、対象コンテンツの平均照度が算出されてもよい。これにより、例えば、対象コンテンツの全フレームが考慮された特徴量が算出される。
【００８６】
照明制御部１２０の補助情報出力部１２２は、特徴量算出部１１０によって算出された特徴量を用いて、図６に示す、三角マーク４４２および調光用スライダー４４０等が設定画面４００ｂに表示されるように補助情報を生成して出力する。
【００８７】
使用者は、設定画面４００ｂにおいて、照明装置５０の選択および品番の選択を行い、さらに、調光用スライダー４４０および調色用スライダー４５０の少なくとも一方を操作して、設定ボタン４６０を押し、その後、確認ボタン４７０を押す。
【００８８】
その結果、映像再生装置２００は、その時点で選択されているサンプルを再生して投射し、選択された照明装置５０（図６では照明装置Ａ）は、設定された調光レベルおよび調色レベルで空間を照らす。
【００８９】
具体的には、確認ボタン４７０が押されることで、選択されているサンプル（図６では、サンプル２）を示す情報が、情報端末３００から照明制御装置１００に送信される。また、調光用スライダー４４０および調色用スライダー４５０に示される調光レベルおよび調色レベルそれぞれに対応するＰＷＭ信号が、照明制御部１２０から照明装置Ａに送信される。
【００９０】
照明制御装置１００の映像制御部１３０は、選択されているサンプル２を再生する指示を映像再生装置２００に送信する。映像再生装置２００は当該指示に従って、対照コンテンツに含まれるサンプル２の画像（静止画）を再生し投射する。また、照明装置Ａは、当該調光レベルおよび当該調色レベルに対応する明るさおよび色温度に変更される。
【００９１】
さらに、使用者が、設定画面４００ｂにおいて、サンプル選択のリスト内において、選択するサンプルを、例えばサンプル２からサンプル３に変更し、確認ボタン４７０が押された場合、サンプル３を示す情報が情報端末３００から照明制御装置１００に送信される。その結果、映像再生装置２００によって再生され投射される静止画が、サンプル２からサンプル３に切り換えられる。
【００９２】
このように、映像制御部１３０は、対象コンテンツが動画である場合、対象コンテンツに含まれる複数のフレームのうちから選択された２以上のフレームのそれぞれの再生を指示することができる。これにより、対象コンテンツの特徴量に対応して設定された点灯条件の下で形成された照明空間において、再生され投射される静止画（サンプルフレーム）が切り換えられる。これにより、使用者は、例えば、当該点灯条件が、動画である対象コンテンツに適しているか否かを効率よく確認することができる。このことは、映像再生装置２００で再生される映像に適した照明空間の形成の容易化に寄与する。
【００９３】
（実施の形態２）
上記実施の形態１に係る照明制御装置１００が実行する各種の処理は、例えば、物理的に別体の複数の装置によって実現することも可能である。そこで、実施の形態２として、照明制御装置１００に相当する機能を実現する２つの装置を備える照明システム１０ａを、上記実施の形態１との差分を中心に説明する。
【００９４】
図７は、実施の形態２に係る照明システム１０ａの構成を示す図である。図７に示す照明システム１０ａは、照明制御装置１００ａを備え、照明制御装置１００ａは、第一制御装置１５０と第二制御装置１６０とを有する。
【００９５】
照明制御装置１００ａは、映像再生装置２００によって再生され投射される映像コンテンツの特徴量を算出し、算出した特徴量に基づく照明装置５０の光出力の制御を行う装置である。この点において、上記実施の形態１に係る照明制御装置１００と共通する。
【００９６】
しかし、照明制御装置１００ａは、物理的に分離され、かつ互いに通信可能な２つの装置（第一制御装置１５０および第二制御装置１６０）によって構成されている点で、上記実施の形態１と異なる。
【００９７】
第一制御装置１５０は、マイコン１５１と記憶部１５２と通信部１５５とを有する。第二制御装置１６０は、マイコン１６１と記憶部１６２と通信部１６５とを有する。
【００９８】
第一制御装置１５０が有するマイコン１５１および記憶部１５２により、例えば、上記実施の形態１で説明した特徴量算出部１１０および照明制御部１２０が有する機能が実現される。具体的には、第一制御装置１５０では、上記実施の形態１で説明した、照明装置５０を制御するためのプログラムがマイコン１５１で実行されることで、特徴量算出部１１０および照明制御部１２０が有する機能が実現される。
【００９９】
また、第一制御装置１５０が有するマイコン１５１および記憶部１５２により、例えば、上記実施の形態１で説明した映像制御部１３０が有する機能が実現される。
【０１００】
さらに、第一制御装置１５０は、通信部１５５を介して、第二制御装置１６０と情報のやり取りを行い、第二制御装置１６０は、通信部１６５を介して、第一制御装置１５０と情報のやり取りを行うことができる。つまり、映像再生装置２００で再生される映像コンテンツの選択のための情報の送受信、および、第一制御装置１５０が当該映像コンテンツを取得するための情報の送受信等の処理は、通信部１５５および１６５を介して行われる。そのため、本実施の形態に係る照明制御装置１００ａは、例えば図３に示される照明制御装置１００と実質的に同一の処理を行うことができる。
【０１０１】
また、第一制御装置１５０および第二制御装置１６０のそれぞれが表示部を有する場合、例えば、図４〜図６に示される各種の設定画面に相当する内容が、２つの表示部によって表示されてもよい。
【０１０２】
図８は、実施の形態２に係る第一制御装置１５０および第二制御装置１６０のそれぞれで表示される設定画面の例を示す図である。
【０１０３】
例えば、図４の設定画面４００におけるコンテンツ選択肢を含む部分が、第二制御装置１６０の表示部１６８に設定画面４０２として表示される。また、図４の設定画面４００における照明制御に関する部分が、第一制御装置１５０の表示部１５８に設定画面４０１として表示される。
【０１０４】
このように、例えば設定画面４００が、物理的に異なる２つの表示部（１５８および１６８）に表示された場合であっても、使用者は、表示部１５８の設定画面４０２で、再生すべき映像コンテンツの選択を行うことができる。さらに、選択された映像コンテンツは、第二制御装置１６０を介して第一制御装置１５０が取得することができ、その結果、特徴量の算出、および、算出された特徴量を用いた補助情報の生成を、第一制御装置１５０で行うことができる。これにより、第一制御装置１５０は、表示部１５８に設定画面４０１を表示させることができる。つまり、使用者は、設定画面４０２で選択した映像コンテンツに適した点灯条件の設定を、設定画面４０１を用いて行うことができる。そのため、本実施の形態に係る照明制御装置１００ａによれば、上記実施の形態１に係る照明制御装置１００と同じく、映像再生装置２００で再生される映像に適した照明空間を容易に形成することができる。
【０１０５】
なお、設定画面４０１および４０２のそれぞれは、例えば、情報端末３００等の、第一制御装置１５０および第二制御装置１６０と通信可能な端末装置が備える表示部に表示されてもよい。つまり、本実施の形態に係る照明システム１０ａにおいて、再生される映像コンテンツの選択および照明装置５０の点灯条件の設定が、スマートフォンまたはタブレット等である情報端末３００を介して行われてもよい。
【０１０６】
（他の実施の形態）
以上、本発明に係る照明制御装置および照明システムについて、実施の形態１および２に基づいて説明したが、本発明は、これらの実施の形態等に限定されるものではない。
【０１０７】
例えば、設定画面（４００等、以下同じ）は、調光レベルおよび調色レベルの両方の設定に用いられなくてもよい。例えば設定画面４００において、調色用スライダー４５０およびこれに関与する画像は表示されなくてもよい。つまり、照明制御装置１００および１００ａは、調光制御および調色制御の少なくとも一方を行えばよい。
【０１０８】
また、例えば、照明装置５０における調光レベルまたは調色レベルが、設定画面（４００等、以下同じ）を用いて設定された値に変化するタイミングは、確認ボタン４７０が押されたタイミングでなくてもよい。例えば、調光用スライダー４４０の移動に同期して、照明装置５０における調光レベルが変化してもよい。これにより、例えば、使用者による調光レベル等の点灯条件の変更の結果を、使用者に即座に確認させることができる。
【０１０９】
また、例えば、照明制御装置１００の照明制御部１２０は、対象コンテンツの特徴量に基づく推奨値を算出したタイミングで、当該推奨値を用いて、照明装置５０における調光レベルまたは調色レベルを制御してもよい。この場合、使用者が設定画面を操作することなく、照明装置５０が、対象コンテンツの特徴量に適した明るさまたは色温度に変化する。また、このとき、設定画面の調光用スライダー等のポインタが当該推奨値の位置に表示されるように、設定画面が更新される。その後、使用者は、設定画面を用いて、例えば自身の好みに応じて、照明装置５０の明るさまたは色温度を微調整することができる。
【０１１０】
また、例えば、照明制御装置１００が有する各種の機能は、マイコン１０１が所定のプログラムを実行することで実現されるとしたが、特徴量の算出等の各種の機能は、機能ごとに設けられた専用回路によって実現されてもよい。
【０１１１】
また、例えば、照明システム１０および１０ａが備える照明装置５０の数は２である必要はなく、１であってもよく、また、３以上であってもよい。また、照明制御装置１００および１００ａは、複数の照明装置５０に対して一括して調光制御または調色制御を行ってもよい。つまり、照明システム１０または１０ａを設置する空間の用途または形状等に応じて、照明装置５０の数等は決定されてもよい。この場合であっても、照明制御装置１００および１００ａのそれぞれにより、再生される映像に適した照明空間の形成の容易化等の効果は奏される。
【０１１２】
また、照明制御装置１００および１００ａは、映像コンテンツの特徴量を算出する場合に、映像コンテンツそのものではなくてもよい。照明制御装置１００および１００ａは、例えば、映像再生装置２００から送信される、映像コンテンツのデータであって、オリジナルのデータから間引かれたデータを用いて映像コンテンツの特徴量を算出してもよい。これにより、例えば、照明制御装置１００および１００ａにおける特徴量を算出の処理負荷が低減される。
【０１１３】
また、照明制御装置１００および１００ａは、通信を介して映像コンテンツを取得しなくてもよい。例えば、メモリカード等の可搬型記憶媒体を介して、映像コンテンツを取得してもよい。
【符号の説明】
【０１１４】
１０、１０ａ  照明システム
５０  照明装置
１００、１００ａ  照明制御装置
１０５、１５５、１６５  通信部
１１０  特徴量算出部（算出部）
１２０  照明制御部
１２２  補助情報出力部
１３０  映像制御部
２００  映像再生装置
４００、４００ａ、４００ｂ、４０１、４０２  設定画面
【図１】
0006493664.tif 000002
【図２】
0006493664.tif 000003
【図３】
0006493664.tif 000004
【図４】
0006493664.tif 000005
【図５】
0006493664.tif 000006
【図６】
0006493664.tif 000007
【図７】
0006493664.tif 000008
【図８】
0006493664.tif 000009